(57)【要約】本発明は、チップカード用電子モジュールの製造方法に関しており、前記モジュールは一方では基板（１１）を有し、該基板は、第１の面（８）に、チップカードリーダーの対応する接点との接触による動作を可能にする電気接点の端子板を有し、前記モジュールは、少なくとも一巻きのコイルを備えたアンテナ（３）、超小型電子チップ（２）、および金属製の接続線（４、５、６）を有し、該金属製の接続線は、第２の面（７）に対して盛り上がったループを形成し、超小型電子チップ（２）の端子をアンテナ（３）および／または接点の端子板の対応する端子につなぐものであり、該製造方法が、接続線（４、５、６）の配線の後に、線（４、５、６）のループを押さえて高さを減らすことになる蓋（１３）を使って、チップ（２）の側に位置するモジュール面をすっかり覆う工程を有することを特徴とする、チップカード用電子モジュールの製造方法。【選択図】図４
2019536186.tif 000002
【特許請求の範囲】
【請求項１】
チップカード用電子モジュールの製造方法であって、前記モジュールが、少なくとも１つの面が金属層（７、８）を有する基板（１１）を有し、前記基板（１１）が凹部を備え、該凹部の中には、チップカードのアンテナへの接続または電気接点の端子板への接続用の出力端子を備えた超小型電子チップ（２）が固定され、前記接続が、基板の１つの面に対して盛り上がったループを形成する金属製の接続線（４、５、６）によって実現されるチップカード用電子モジュールの製造方法であって、該製造方法が、接続線（４、５、６）の配線の後に、盛り上がった線（４、５、６）のループを押さえて高さを減らして前記基板面の方に押しつける蓋（１３）を使って、凹部を有するモジュール面をすっかり覆う工程を有することを特徴とする、チップカード用電子モジュールの製造方法。
【請求項２】
電子モジュールが、基板（１１）の両側に位置する上方金属層（７）および下方金属層（８）を有し、接続線（４、５、６）が、上方金属層（７）に対して盛り上がったループを形成する方法であって、蓋（１３）が前記上方金属層（７）に線（４、５、６）を押しつけるようになることを特徴とする、請求項１に記載の方法。
【請求項３】
電子モジュールが下方金属層（８）だけを有し、接続線（４、５、６）が基板（１１）に対して盛り上がったループを形成する方法であって、蓋（１３）が前記基板（１１）に線（４、５、６）を押しつけるようになることを特徴とする、請求項１に記載の方法。
【請求項４】
前記蓋（１３）が、蓋としてのその役割を果たすのに十分硬く、蓋（１３）の厚み内に線（４、５、６）のある程度の嵌め込みを可能にするのに十分柔らかい可鍛性プラスチック材料で作製され、このことが線をあるべき場所に保持することに寄与していることを特徴とする、請求項１から３のいずれか１つに記載の方法。
【請求項５】
前記可鍛性プラスチック材料がポリウレタンであることを特徴とする、請求項４に記載の方法。
【請求項６】
請求項１から５のいずれか１つに記載の方法によって得られることを特徴とする、電子モジュール。
【請求項７】
請求項６に記載の電子モジュールを有することを特徴とする、接触・非接触式デュアル通信インターフェースチップカード。
【発明の詳細な説明】
【技術分野】
【０００１】
本発明は、接触式電子モジュール、または、接触・非接触式デュアル通信インターフェース電子モジュールの製造方法、およびそのようなモジュールを内蔵したチップカードに関するものである。
【背景技術】
【０００２】
接触動作式チップカード、非接触動作式チップカード、または接触・非接触動作式複合型チップカードのための多くの超小型電子モジュールが、現状技術において既に存在している。
【０００３】
現状技術にかかるデュアル通信インターフェースカードの大多数は、以下から成る。
−超小型電子チップと、接触式チップカードリーダーに対応する端子との接触用の接触式接続用端子板と、アンテナへの接続を可能にする裏面に位置する２つの接点を有する、電子モジュール、
−アンテナを有する、プラスチック材料製カード、
−電子モジュールとアンテナとの間の接続を可能にする、導電性材料。
【０００４】
そのようなモジュールを作製するために、基板上にチップを置くこと、ついで典型的には非常に細い接続線を使って、モジュールの通信インターフェースとチップとの、対応する端子間の電気的接続を実現することが必要である。
【０００５】
次に、重合性コーティング樹脂の滴を用いて、チップの接点と接続線とを保護する必要がある。ついで、樹脂の滴を日に当てて重合させる。その際、樹脂がその固化を完了するためにおよそ１日待つ必要があり、ついで熱処理を行うが、それは数時間継続する。
【０００６】
最後に、モジュールの１つの面に粘着剤を被着させ、カードの凹部の中にモジュールを接着する。
【０００７】
コーティング樹脂の滴は硬化しても、相変わらず膨らんだ形をしている。その際モジュールは、所望の厚みに戻すために修正を施す必要がある。
【０００８】
これらの作業全体が複雑で時間がかかり、計５日間に及ぶ場合もあることが確認されている。
【発明の概要】
【発明が解決しようとする課題】
【０００９】
本発明の全体的な目的はしたがって、上述の不都合のない、接触式チップカード用または接触・非接触式デュアル通信インターフェースチップカード用の電子モジュールの製造方法を提案することである。
【００１０】
本発明のさらなる目的は、通常得られる信頼性レベルを損なうことなく既知の方法を用いて、製造工程の数、ならびに直結する費用および時間を著しく削減することを可能にする、電子モジュールの製造方法を提案することである。
【課題を解決するための手段】
【００１１】
本発明の原理は、接続線を用いた端子の接続工程の後に、線によって作られた余分な厚みをなすループを、ある材料層を使って押さえることにあり、この材料層は、ループを低くして製品の厚みを減らすのに十分硬く、接続線が余分な厚みを発生させることなくそこに嵌め込まれるのに十分柔らかい。
【００１２】
本発明は従って、チップカード用電子モジュールの製造方法を対象としており、前記モジュールは、少なくとも１つの面が金属層を有する基板を有し、前記基板は凹部を備え、該凹部の中には、チップカードのアンテナへの接続または電気接点の端子板への接続用の出力端子を備えた超小型電子チップが固定され、前記接続は、基板の１つの面に対して盛り上がったループを形成する金属製の接続線によって実現される、チップカード用電子モジュールの製造方法であり、該製造方法は、接続線の配線の後に、盛り上がった線のループを押さえて高さを減らして前記基板面の方に押しつける蓋を使って、凹部を有するモジュール面をすっかり覆う工程を有することを特徴とする。
【００１３】
本発明にかかる方法は、基板の両側に位置する２つの金属層を備えたモジュールの製造にも、または基板の１つの面だけに位置する１つだけの金属層を備えたモジュールの製造にも応用される。
【００１４】
このように、電子モジュールが基板の両側に位置する上方金属層および下方金属層を有する場合、接続線は上方金属層に対して盛り上がったループを形成するので、該方法は、蓋が前記上方金属層に線を押しつけるようになることを想定する。
【００１５】
しかし、電子モジュールが下方金属層だけを有する場合、接続線は基板に対して盛り上がったループを形成するので、該方法は、蓋が前記基板に線を直接押しつけるようになることを想定する。
【００１６】
本発明の見地によると、前記蓋は、蓋としてのその役割を果たすのに十分硬く、蓋の厚み内に線のある程度の嵌め込みを可能にするのに十分柔らかい可鍛性プラスチック材料で作製され、このことは線をあるべき場所に保持することに寄与している。
【００１７】
本発明はまた、上記の方法によって得られる電子モジュール、および改善され単純化されたこのような電子モジュールを含むチップカードも対象とする。
【００１８】
本発明の他の特徴および利点は、詳細な説明および以下のような添付の図面を読むことによって明らかになるであろう。
【図面の簡単な説明】
【００１９】
【図１】チップカード用電子モジュールを、平面図で示している。
【図２】図１の電子モジュールの断面図であり、既知の製造方法にしたがって修正された樹脂の滴を示している。
【図３】図１の電子モジュールの断面図であり、接続線を押さえる前である。
【図４】図２の電子モジュールの断面図であり、本発明の方法にしたがって接続線を押さえた後である。
【図５Ａ】モジュールの閉鎖層の中への接続線の嵌め込み形態の１つを拡大断面図で示している。
【図５Ｂ】モジュールの閉鎖層の中への接続線の嵌め込み形態の１つを拡大断面図で示している。
【図５Ｃ】モジュールの閉鎖層の中への接続線の嵌め込み形態の１つを拡大断面図で示している。
【図６】本発明にかかる方法の、アンテナのない接触モジュールに相当するモジュールの、変形例への応用を示す断面図である。
【発明を実施するための形態】
【００２０】
図１で、非接触式チップカード用超小型電子モジュール１の、平面図を示した。このモジュール１は、従来通り、底部に超小型電子チップ２の受け部分がある凹部、アンテナ３のコイル、チップの通信インターフェース用端子とアンテナ３に対応する端子の間の接続線４、５、６を有する。
【００２１】
図２の断面図は、図１の接続線４、５、６に沿って実現されている。該図は、モジュールの構造をより詳細に示しているが、このモジュールは従来の製造方法を用いて得られたものである。このようにチップ２はまた、アンテナ３のコイルを含む金属層８に接着される。
【００２２】
図２から４に示される例において、モジュールは、絶縁基板１１の両側に位置する２つの金属層７、８と、粘着剤１０とを有する。チップ２の通信インターフェースの端子（表示されていない）は、線４、５、６によって、モジュールの金属接点および／またはアンテナ３の端子に接続される。接続線６は、上方金属層７の金属部分を、下方金属層８の接続部分につなぐ。このため、接続線は穴１４の中を通る。
【００２３】
２つの金属層７、８を有するこの構造は、接触・非接触式デュアル通信インターフェースチップカード用モジュールに特有である。
【００２４】
観察されるように、接続線４、５、６は、上方金属層７に対して盛り上がったループを形成する。この余分な厚みは、現状技術においては、封止樹脂１２によって吸収され、封止樹脂はその結果線４、５、６を保護する。図２で観察されるように、封止樹脂は平らな表面を示し、それは樹脂の滴の加工後の状態であり、モジュールはそのとき、チップカードのような完成品の適切な凹部の中、または、電子パスポートや他の公的書類のような非接触式製品用挿入物の中に移すことができる状態にある。
【００２５】
観察されるように、図２の左側に層状に示された厚みは、モジュールの全厚みが２８０マイクロメートルであることを示している。本発明にかかる方法の目的の１つは、製造工程の単純化に加えて、この厚みをチップや他の構成要素の厚みを減らすことなく削減することを可能にすることである。
【００２６】
図３は、図２の断面図に類似した断面図を示している。それは上方金属層７を支える基板の上部面に対して盛り上がったループを形成する金属線４、５、６が配線されたモジュールであるが、ただしチップのいかなるコーティング作業もまだ施されていない。
【００２７】
製造方法のこの段階で、コーティング樹脂の滴の代わりに蓋１３を使ってチップを保護することを本発明は想定しており、この蓋は、チップ、凹部、および上方金属板７をすっかり覆うように、凹部の側に位置するモジュールの上部面に直接押し当てられる。蓋１３は、接続線４、５、６を押さえて、接続線を金属層７の上部表面の高さに戻すように基板に向かって押しつけるように押し当てられる。驚くべきことに、金属部分への線の接続の切断を引き起こすことなく、またモジュールの信頼性を損なうことなく、線がこのように押しつけられることができることが実際に確認された。
【００２８】
観察されるように、モジュールの厚みは本発明により１８０マイクロメートルまで引き戻され、すなわち図２におけるものよりも３分の１薄くなる。
【００２９】
有利には、蓋としてのその役割を果たすのに十分硬く、また蓋１３の厚みの中へ線４、５、６のある程度の嵌め込みを可能にするのに十分に柔らかい、ポリウレタンのような熱可塑性材料が蓋１３用に選択され、このことは、線をあるべき場所に保持することに寄与する。
【００３０】
粘着剤はさらに、チップカードのような完成品の中へモジュールを移動することを容易にするために、モジュールの２つの側面に配置され得る。
【００３１】
図５Ａ、図５Ｂおよび図５Ｃは、わずかに押しつぶされた線と、蓋１３内への線の多少の差こそあれはっきりとした嵌め込みを示しており、その変形は誇張して示されている。
【００３２】
図６において、先のように蓋１３を備えたモジュールを断面図で示したが、ただしこれはいわゆる単一面のモジュールであり、接触式で規格７８１６−１と適合し得る。このモジュールは、蓋１３を受ける基板の面と反対側にある、ただ１つの金属層８しか有しない。
【００３３】
この場合、蓋１３は、線４、５、６のループを基板１１に直接押しつけることができる。
【００３４】
唯一の金属層８は、そのような場合、接触動作式カードの場合には端子板の接点を、またはアンテナのトラックを実現するのに使用される。類似の構造が、デュアル通信インターフェースモジュールを用いて実現され得る。
【００３５】
最終的に本発明は、チップカード用モジュールを獲得するために改善された新しい製造方法を提案して、定められた目的に応える。
【００３６】
この方法により、樹脂を用いてチップを封止する必要はもはやなくなり、よって樹脂の加熱硬化や厚みの修正といった、封止処理に必要なあらゆる作業は不要となる。
【００３７】
その結果、以前はおよそ５日であった製造サイクルタイムと比べておよそ２日間の時間の節約となる。
【００３８】
蓋の取付けを伴うモジュールの製造に必要とされる作業の単純さはまた、製造コストの削減ももたらす。
【００３９】
付随的に、この方法により、およそ１８０マイクロメートル（基板、チップ、および線の厚みに関する一定のパラメータ）というさらに減少した厚みのモジュールを獲得することが可能になり、これによりさらに、このようなモジュールおよびチップカードまたはこのようなモジュールを組み入れる文書の使用可能な事例を増やすことが可能になる。
【００４０】
新しい方法は、チップカードがいかなるタイプ、つまり接触式、非接触式、デュアル式にかかわらず適用可能である。
【００４１】
最後に、上方層の色の適切な選択により、完成品における最適な統合が可能になる。
【符号の説明】
【００４２】
４  接続線
５  接続線
６  接続線
７  金属層
８  金属層
１１  基板
１３  蓋
【図１】
2019536186.tif 000003
【図２】
2019536186.tif 000004
【図３】
2019536186.tif 000005
【図４】
2019536186.tif 000006
【図５Ａ】
2019536186.tif 000007
【図５Ｂ】
2019536186.tif 000008
【図５Ｃ】
2019536186.tif 000009
【図６】
2019536186.tif 000010
【国際調査報告】
2019536186.tif 000011
2019536186.tif 000012
2019536186.tif 000013
2019536186.tif 000014
2019536186.tif 000015
2019536186.tif 000016